(57)【要約】【課題】  ヨークのジャンパ装置取付部を設ける位置を改善して、ヨークの回動を防止し、絶縁距離を確保して、確実な絶縁効果が得られるライン側固定ヨークを備えた耐張装置を提供する。【解決手段】  ガイシ連取付部と導体連結金具取付部とを互いに反対側に有するとともに、ジャンパ装置取付部を有するライン側固定ヨークを備えた耐張装置において、（１）ジャンパ装置取付部を下側の導体連結金具取付部よりも上方であってガイシ連取付部よりも導体側に設けた。（２）ジャンパ装置取付部を導体連結金具取付部に対してガイシ連取付部と反対側に設けた。（３）ジャンパ装置取付部をガイシ連取付部よりも下方であって、下側の導体連結金具取付部よりも上方に設けた。【選択図】図４
2007027080.tif 000002
【特許請求の範囲】
【請求項１】
ガイシ連取付部と導体連結金具取付部とを互いに反対側に有するとともに、ジャンパ装置取付部を有するライン側固定ヨークを備えた耐張装置において、前記ジャンパ装置取付部を下側の導体連結金具取付部よりも上方であって前記ガイシ連取付部よりも導体側に設けたことを特徴とする耐張装置。
【請求項２】
ジャンパ装置取付部を導体連結金具取付部に対してガイシ連取付部と反対側に設けたことを特徴とする請求項１に記載の耐張装置。
【請求項３】
ガイシ連取付部と導体連結金具取付部とを互いに反対側に有するとともに、ジャンパ装置取付部を有するライン側固定ヨークを備えた耐張装置において、前記ジャンパ装置取付部をガイシ連取付部よりも下方であって、下側の導体連結金具取付部よりも上方に設けたことを特徴とする耐張装置。
【発明の詳細な説明】
【技術分野】
【０００１】
本発明は、送電線鉄塔に送電線である導体を支持するための耐張装置に係り、特にジャンパ装置取付部を有するライン側固定ヨークを備えたものに関する。
【背景技術】
【０００２】
図５は、送電線鉄塔（以下、鉄塔という。）１に４導体を支持する従来の耐張装置の一例Ａを示す図である。図５はライン側ヨークが固定ヨークである場合のものであり、（ａ）は平面図、（ｂ）は正面図である。固定ヨークとは、ガイシ連３とヨーク４との結合点イとヨーク４と導体連結金具５との結合点ロの間の距離が一定不変のものをいう。図６は図５の耐張装置Ａによりジャンパ装置が支持されている状態を示す、鉄塔の左側の部分を示す正面図である。
【０００３】
図５に示す従来の固定ヨークを用いる耐張装置Ａは、鉄塔１に接続されるアース側ヨーク２と、そのアース側ヨークに一端が結合されたガイシ連３と、そのガイシ連の他端に結合されたライン側固定ヨーク４と、そのライン側固定ヨークに結合された導体連結金具５と、その導体連結金具に結合されたクランプ６とから構成されている。導体７は、クランプ６により一つの耐張装置Ａに支持される。その固定された導体７のクランプ６から鉄塔１の方向に延びる部分は、図６に示すように、ジャンパ線８として、鉄塔１を迂回し、その鉄塔の別の位置に取り付けられている他の耐張装置のクランプに締着される。そして、耐張装置Ａのライン側固定ヨーク４には、ガイシの電気的シールドの目的で使用されるホーン９と、ジャンパ装置である吊金具１０が取り付けられるが、ホーン９は固定ヨーク４とは別体のガイシ連連結金具１１に設けたホーン取付部１１ａに取付けられ、ジャンパ装置の吊金具１０は、固定ヨーク４に設けたリンク１２（図５（ｂ）及び図７参照）を用いて取付けられる。
【０００４】
上述のように、上記従来のライン側固定ヨーク４の場合は、固定ヨークとは別体のガイシ連連結金具１１にホーン取付部１１ａを設けたものをヨークから延出するように取付けているから、ホーン取付部を設けるための距離分だけ耐張装置の長さが長くなるという問題があった。
【０００５】
他方、導体数が３以上用の従来のライン側固定ヨークは、導体連結金具との結合点が３次元的に配置されるので、ヨークの形状構造は張力に十分に耐え得るものである必要がある。さらに、耐張装置の全長をできるだけ小さくする要請に応えるため、コンパクトに作られる傾向にある。
【０００６】
図７は、図５、６の耐張装置Ａで用いられている４導体用ライン側固定ヨーク４の展開図であり、（ａ）は正面図、（ｂ）は平面図、（ｃ）は側面図である。図７に示す例は、所要の強度及び堅固さを備えるため、複数枚（図７の例では５枚）の金属板４ａ〜４ｅを交差・溶接して構成され、ホーン取付方向及びジャンパ装置取付方向には開放されていない閉鎖構造である。図７の４１はガイシ連取付部を構成するガイシ連取付孔、４２は導体連結金具取付部を構成する導体連結金具取付孔であり、４３はリンク１２に形成されているジャンパ装置取付孔であり、リンク１２は最下位の金属板４ｅにボルト１２ａ，ナット１２ｂにより取り付けられている。このジャンパ装置取付孔４３を有するリンク１２によりジャンパ装置取付部が構成されている。
【特許文献１】特になし。
【発明の開示】
【発明が解決しようとする課題】
【０００７】
このように、従来のライン側固定ヨークは、コンパクトでしかも所要の強度を備える目的で複数枚の金属板を交差溶接してなるため、図５及び図７に４導体用ライン側固定ヨーク４の例を示すように、開放面の少ない箱状に形成されている。従って、従来のライン側固定ヨークには、ホーン取付部設置スペース及びホーン取付作業スペースの確保が困難であるため、ホーン取付部とジャンパ装置取付部が一体に設けられたものは使用されていない。
【０００８】
従来のライン側固定ヨークのジャンパ装置取付部（１２）は、図５（ａ）、図６及び図７に示されているように、ヨーク本体に対してガイシ連取付部４１と同一側の導体連結金具取付部４２よりも下方に設けられている。そして、ガイシ連取付部４１にはガイシ連連結金具１１がヨーク４に対して回動自在に結合されている。
【０００９】
従って、第１に、図６において、ジャンパ装置取付部（１２）が、ヨーク本体に対してガイシ連取付部と同一側の下端部に設けられているため、ジャンパ装置の吊金具１０のジャンパ線８との結合点を通る水平線に対する角度（吊架角）αが大きいので、吊金具１０及びジャンパ線８の一部が法定絶縁距離Ｄの内側に入り、もしくは接近し易く、絶縁効果が低減される虞がある。
【００１０】
第２に、ジャンパ線８から吊金具１０に加わる引っ張り力によりヨーク４に回転モーメントが作用し、ヨークがその上端部はガイシ連３から遠ざかる方向に、下端部はガイシ連３に近づく方向に回動する、いわゆる拝み現象を起こす傾向がある。その結果、（１）ジャンパ線８の両側の吊金具１０の間の部分の緊張が緩み、（２）そのヨークに支持されている導体７のうち、下側の導体に引っ張り力による過大な負荷がかかり、（３）上側の導体７が撓むため、上下の導体の平行間隔が失われて、配線後の導体を平行に保つためのスペーサの装着が非常に困難になる、等の問題がある。
【００１１】
本発明は、上記の点に鑑みてなされたものであり、解決しようとする課題は、ヨークにジャンパ装置取付部を設ける位置を改善することにより、上記ヨークの回動を防止し、かつ、法定絶縁距離が確保されて、確実な絶縁効果が得られるライン側固定ヨークを備えた耐張装置を提供することにある。
【課題を解決するための手段】
【００１２】
上記課題を解決するため、請求項１の発明は、ガイシ連取付部と導体連結金具取付部とを互いに反対側に有するとともに、ジャンパ装置取付部を有するライン側固定ヨークを備えた耐張装置において、前記ジャンパ装置取付部を下側の導体連結金具取付部よりも上方であって前記ガイシ連取付部よりも導体側に設けたことを特徴としている。
上記構成により、吊金具からジャンパ装置取付部を介してヨークに加わる回転モーメントが軽減されるから、ヨークの回動が抑制される。また、吊金具のジャンパ線との結合点を通る水平線に対する角度（吊架角）が従来よりも小さいので、吊金具及びジャンパ線は法定の絶縁距離の外側に維持される。従って、絶縁効果が低減されることはない。
【００１３】
請求項２の発明は、請求項１の耐張装置において、ジャンパ装置取付部をガイシ連取付部と反対側に設けたことを特徴としている。
上記構成により、吊金具とジャンパ線との結合点を通る水平線に対する吊金具の角度（吊架角）を従来よりも小さくすることが容易であり、請求項１の発明と同一の作用効果が得られる。また、ヨークに加わる回転モーメントが一層軽減されるので、ヨークの回動が阻止される。さらに、ヨークに対するガイシ連取付とジャンパ装置取付との競合を避けることができる。
【００１４】
請求項３の発明は、ガイシ連取付部と導体連結金具取付部とを互いに反対側に有するとともに、ジャンパ装置取付部を有するライン側固定ヨークを備えた耐張装置において、ジャンパ装置取付部をガイシ連取付部よりも下方であって、下側の導体連結金具取付部よりも上方に設けたことを特徴としている。
上記構成により、下側導体に対する負荷が軽減される。
【発明の効果】
【００１５】
請求項１の発明によれば、ジャンパ装置の吊金具からヨークに加わる回転モーメントが軽減され、ヨークの回動が規制ないし阻止される。従って、導体間の平行間隔が保持され、導体への過大な負荷が防止され、スペーサの装着も容易である。また、吊金具のジャンパ線との結合点を通る水平線に対する角度（吊架角）が従来よりも小さくなるので、吊金具及びジャンパ線は法定の絶縁距離の外側に維持される。従って、絶縁効果が確保される。
【００１６】
請求項２の発明によれば、吊金具の吊架角を従来よりも小さくすることが容易であり、ヨーク回動阻止効果及び絶縁効果がより確実に得られ、ヨークに対するガイシ連取付とジャンパ装置取付との競合を避けることができる。
【００１７】
請求項３の発明によれば、請求項１又は２の発明と同一の作用効果が得られる。
【発明を実施するための最良の形態】
【００１８】
次に、本発明の実施の形態について図１ないし図４の図面を参照しながら説明する。図５〜６の部材と同一又は相当の部材には同一の符号を用いる。
図１は本発明に係る耐張装置の一例を示す図であり、（ａ）は平面図、（ｂ）は正面図である。図２は同装置において用いられているライン側固定ヨークの展開図であり、（ａ）は正面図、（ｂ）は平面図、（ｃ）は側面図である。
【００１９】
図１において、４Ｎは本発明により改良された４導体用ライン側固定ヨークである。この固定ヨーク４Ｎは、図２（ｃ）に示すように、高さ方向（図２（ｃ）において紙面上下方向）中間位置にある水平板４ｆと、その幅方向中央から高さ方向上側にほぼＶ字形に延び、かつ、先端が互いに反対方向に水平に延びるＶ字板４ｇと、水平板４ｆの幅方向中央から高さ方向下側に逆Ｔ字形に延びるＴ字板４ｈとを一体に有して、それぞれの板の間が外部に向かって開放された開放構造を有している。そして、水平板４ｆの両端部（図２（ｃ）において左右両端部）にガイシ連取付部に相当するガイシ連取付孔４１が設けてあり、Ｖ字板４ｇの両端部（図２（ｃ）においては左右両端部）とＴ字板４ｈの下辺の両端部（図２（ｃ）において左右両端部）には導体連結金具取付部に相当する導体連結金具取付孔４２が設けてある。導体支持の安定性を高めるため、Ｖ字板４ｇの両端部間距離と、Ｔ字板４ｈの下辺の両端部間距離はほぼ等しくされている。
【００２０】
ライン側固定ヨーク４Ｎには、上記の構成に加えて、図２（ｂ）に良く示されているように、水平板４ｆの幅（図２（ｂ）において左右方向の幅）が拡幅されて、その拡幅された部分にホーン取付部４５が一体に形成されている。ホーン取付部４５は、ホーン９を固着するボルト９２を貫通するための複数個の孔を有する。さらに、ホーン取付方向と干渉しない位置、例えば、Ｔ字板４ｈの側面に、ジャンパ装置取付部４６が一体に形成されている。ジャンパ装置取付部４６の形状は特に制限されないが、図示の例では、中央に孔が開けられた突起からなっている。
【００２１】
図２（ｃ）に示すように、ライン側固定ヨーク４Ｎは、各板４ｆ，４ｇ，４ｈの間が外部に向かって開放された構造を有するので、ホーン９の端部を直接取り付けるためのホーン取付部４５を一体に設けることが可能となった。また、開放された部分にジャンパ装置取付部４６を設けることが可能になった。水平板４ｆのライン側端部をライン側方向（図２（ｂ）において左方向）に拡幅すれば、その拡幅された部分にホーン取付部４５を一体に設けることが一層容易になる。
【００２２】
図１には、ライン側固定ヨーク４Ｎのガイシ連取付孔４１に２連のガイシ連３のライン側端部が結合され、４個の導体連結金具取付孔４２に４個の導体連結金具５が結合されている状態が示され、また、ホーン取付部４５にホーン９が直接に結合されている状態が示されている。このホーン９は、図２（ｃ）に一部を示すように、ホーン９の一端に接合されている固定板９１と、ボルト９２と、そのボルトに締め付けられるナット９３によりホーン取付部４５に固着されている。
【００２３】
本発明においては、前記ジャンパ装置取付部４６は、図１及び図２（ａ）（ｂ）に示すように、ヨーク４Ｎのガイシ連取付部４１より導体連結金具取付部４２側に寄った位置、すなわち、導体側に寄った位置に設けられている。
【００２４】
ジャンパ装置取付部のヨークに対する設置位置は、導体連結金具取付部４２に関してガイシ連取付部４１よりも導体側に寄った位置であれば、図３に示すように、ヨークのガイシ連取付部４１と反対側に設けることが最も望ましい。このような位置に設けた場合は、吊金具からヨークに加わる回転モーメントをより小さくすることができるとともに、ガイシ連取付とジャンパ装置取付を互いに干渉せずに行うことが出来る。図３において、（ａ）は固定ヨークの使用状態の正面図、（ｂ）は同じく平面図、（ｃ）は固定ヨークのみの側面図である。同図において、４Ｎ’は固定ヨーク、３はガイシ連、３０１はそのガイシ連連結金具、５０１は導体連結金具の一部である。
【００２５】
図４は、図１の耐張装置ＮＡの固定ヨーク４Ｎに代えて図３の固定ヨーク４Ｎ’を用いた耐張装置ＮＡ’にジャンパ装置の一例としての吊金具１０を取り付けた状態を示す、図６に対応する正面図である。ジャンパ装置取付部４６が、図３に示すように、ヨーク４Ｎ’のガイシ連取付部４１よりも導体連結金具取付部４２側、すなわち、導体側に寄った位置に設けられているため、吊架角α’は、図６のジャンパ装置取付部４６がガイシ連取付部４１と同一側の下方に設けられている場合の吊架角αよりも小さくなっている。
【００２６】
従って、吊金具１０及びジャンパ線８が、ガイシ連３のアース側端部からの法定絶縁距離Ｄの外側に位置されることとなり、所期の絶縁効果を確保することができる。また、ジャンパ線の左右の吊金具１０（図４では右側の吊金具は省略されている。）の間の中間部分８’，８’に対して吊金具１０からより大きい引っ張り力がかかり易いので、横風が吹き付けても耐張装置全体の横振れ量が抑え易くなる。また、そのジャンパ線の中間部分８’，８’の垂れは抑制される。これは、下側の導体のジャンパ線に対する影響を排除する効果がある。さらに、ジャンパ装置取付部４６がヨーク４Ｎ’のガイシ連取付部４１よりも導体側に寄った位置で、しかも、導体連結金具取付部４２に関してガイシ連取付部と反対側に設けられていることにより、ヨーク４Ｎ’に加わる回転モーメントが減少して、ヨークのいわゆる拝み現象を起こす傾向が根絶又は軽減される。従って、下側導体への過大な負荷が防止され、上下の導体の平行間隔が維持されるので、導体間スペーサの装着も容易に行うことができる。
【００２７】
以上の実施の形態は、本発明を４導体用ライン側固定ヨークに適用した場合のものであるが、本発明は、３導体以上のライン側固定ヨークにも基本的に同様に適用可能である。  また、本発明は、ジャンパ装置取付部をヨークに吊金具から加わる回転モーメントを可及的に小さくし、かつ、吊架角αを小さくして、絶縁距離を確保する点に骨子を有する。その見地に立つと、ジャンパ装置取付部のヨークに対する設置位置は、ライン側固定ヨークのガイシ連取付部よりも下方であって、下側の導体連結金具取付部よりも上方に設ける場合も包含されることは自明である。
【００２８】
本発明の図示された実施例は、ライン側固定ヨーク４Ｎ、４Ｎ’にジャンパ装置（吊金具）を直接取付けた例であるが、吊金具からの引っ張り力がライン側固定ヨーク４Ｎ、４Ｎ’に加わる位置が特許請求の範囲に記載された範囲にあるならば、ジャンパ装置（吊金具）を別の金具及び／又はヨークなどを介してライン側固定ヨーク４Ｎ、４Ｎ’に回動自在に取付ける場合も、本発明の技術的範囲に属するものである。
【図面の簡単な説明】
【００２９】
【図１】本発明に係るライン側固定ヨークを備えた耐張装置の一例を示す図であり、（ａ）は平面図、（ｂ）は正面図。
【図２】図１のライン側固定ヨークの展開図であり、（ａ）は正面図、（ｂ）は平面図、（ｃ）は側面図。
【図３】ライン側固定ヨークの他例を示す図であり、（ａ）は正面図、（ｂ）は平面図、（ｃ）は側面図。
【図４】図３に示されたライン側固定ヨークを用いる耐張装置によりジャンパ装置が支持されている状態を示す正面図。
【図５】従来のライン側固定ヨークを用いている耐張装置の一例を示す図。
【図６】従来のライン側固定ヨークを用いる耐張装置によりジャンパ装置が支持されている状態を示す正面図。
【図７】従来のライン側固定ヨークの展開図であり、（ａ）は正面図、（ｂ）は平面図、（ｃ）は側面図。
【符号の説明】
【００３０】
ＮＡ    耐張装置
２      アース側ヨーク
３      ガイシ連
４Ｎ，４Ｎ’    ライン側固定ヨーク（４導体用ライン側固定ヨーク）
４１    ガイシ連取付孔（ガイシ連取付部）
４２    導体連結金具取付孔（導体連結金具取付部）
４５    ホーン取付部
４６    ジャンパ装置取付部
５      導体連結金具
８      ジャンパ線
９      ホーン
α、α’  吊架角
Ｄ      法定絶縁距離
【図１】
2007027080.tif 000003
【図２】
2007027080.tif 000004
【図３】
2007027080.tif 000005
【図４】
2007027080.tif 000006
【図５】
2007027080.tif 000007
【図６】
2007027080.tif 000008
【図７】
2007027080.tif 000009